(57)【要約】【課題】昼夜を問わず常に待機電力を低減させた点灯装置および、これを備えた照明装置、照明器具を提供する。【解決手段】白熱灯ＬＡ１の動作を制御する点灯制御部１２と、点灯制御部１２を駆動するための制御電圧Ｖｃｃ２を生成する制御電源部１６と、照明負荷周辺の状態を検知するセンサ部１１と、センサ部１１を駆動するためのセンサ電源電圧Ｖｃｃ１を生成するセンサ電源部１７と、白熱灯ＬＡ１に商用電源ＡＣを供給する負荷駆動部１３とを備え、センサ電源部１７は、センサ部１１にセンサ電源電圧Ｖｃｃ１を常時供給し、センサ部１１の検知結果に基づいて、制御電源部１６は、点灯制御部１２への制御電圧Ｖｃｃ２の供給をオン・オフする。【選択図】図１
2011029094.tif 000002
【特許請求の範囲】
【請求項１】
照明負荷の動作を制御する点灯制御部と、点灯制御部を駆動するための制御駆動電圧を生成する制御電源部と、照明負荷周辺の状態を検知するセンサ部と、センサ部を駆動するためのセンサ駆動電圧を生成するセンサ電源部と、照明負荷に電力を供給する負荷駆動部とを備え、
センサ電源部は、センサ部にセンサ駆動電圧を常時供給し、センサ部の検知結果に基づいて、少なくとも制御電源部は、点灯制御部への制御駆動電圧の供給をオン・オフすることを特徴とする点灯装置。
【請求項２】
前記負荷駆動部は、直流電圧を生成する直流電源部を含んで構成されており、前記センサ部の検知結果に基づいて、前記制御電源部は、前記点灯制御部に前記制御駆動電圧の供給をオン・オフすると共に、直流電源部は、直流電圧の出力をオン・オフすることを特徴とする請求項１記載の点灯装置。
【請求項３】
前記負荷駆動部は、直流電圧を生成する直流電源部を含んで構成されており、前記制御電源部は、当該直流電圧を基に前記制御駆動電圧を生成して前記点灯制御部に供給する構成であり、前記センサ部の検知結果に基づいて、直流電源部は直流電圧の出力を制御することで、点灯制御部への制御駆動電圧の供給を制御することを特徴とする請求項１記載の点灯装置。
【請求項４】
前記センサ部は、人の存否を検出する人感センサ素子を有し、人感信号を出力することを特徴とする請求項１乃至３のいずれか１項に記載の点灯装置。
【請求項５】
前記センサ部は、周囲の照度を検出する照度センサ素子を有し、照度信号を出力することを特徴とする請求項１乃至４のいずれか１項に記載の点灯装置。
【請求項６】
請求項１乃至５のいずれか１項に記載の点灯装置と、当該点灯装置によって点灯される照明負荷とを備えることを特徴とする照明装置。
【請求項７】
請求項６記載の照明装置と、当該照明装置が装着される器具本体とを備えることを特徴とする照明器具。
【発明の詳細な説明】
【技術分野】
【０００１】
本発明は、センサの信号を用いて光源の点灯動作を制御する点灯装置と、点灯装置と照明負荷とを備えた照明装置と、照明装置と照明装置が装着される器具本体とを備えた照明器具に関するものである。
【背景技術】
【０００２】
近年、一般住宅の玄関等に設置される照明器具においては、省エネルギーの観点よりセンサの出力に基づいて、自動的に照明負荷を制御する機器が数多く提案されている。
【０００３】
例えば、人体から放射される熱線を焦電素子により検知することによって、人が所定の検知エリア内に存在している間は照明負荷を点灯させ、人が検知エリア外に出てから一定時間後に照明負荷を消灯させる人体検知センサを用いる照明装置が提案されている。この種の照明装置は、照度センサも備えていることが多く、周囲の照度が所定レベル以上（つまり明るい）時には、検知エリア内に人が存在していても照明負荷を点灯させず、周囲の照度が所定レベル未満（つまり暗い）時にのみ、人体検知センサによる照明の点灯・消灯を行うようにしてある。
【０００４】
ところで、このような照明装置においては、上記のようなセンサ機能を成立させるため、センサ素子の検知信号を受けて照明負荷を点灯する必要がない場合においても、常に待機時消費電力が必要となる。
【０００５】
そこで、従来例１として、太陽電池を用いた照明装置を以下に説明する。従来例１の照明装置は、照明用主電源の開閉スイッチを太陽電池で作動させるスイッチ回路にて構成することにより、昼間の待機電力をゼロとすることができ、より省エネルギーを考慮している（例えば、非特許文献１）。
【０００６】
また、白熱灯の代替光源として発光ダイオード（ＬＥＤ）を用いた照明装置が数多く提案されている。ＬＥＤに関する技術進歩は目覚しいものがあり、現在は発光効率や価格面で課題があるものの、今後の次世代光源として期待されている。
【０００７】
そこで、従来例２として、ＬＥＤを光源とした照明装置を以下に説明する。
【０００８】
図１１に、ＬＥＤを光源としたセンサ機能付き照明装置のブロック構成図を示す。本従来例の点灯装置３は、ＬＥＤを点灯させるＬＥＤ点灯装置２と、ＬＥＤ点灯装置２へ商用電源ＡＣを印加制御する点灯制御装置１とから構成されており、それにＬＥＤ発光部４を付加することで照明装置５を構成する。
【０００９】
点灯制御装置１は、センサ部１１と、点灯制御部１２と、負荷駆動部１３と、入力保護部１４と、整流平滑部１５と、制御電源部１６とで構成されている。
【００１０】
センサ部１１は、点灯装置３の周囲の検知エリアにおいて、人から放射される赤外線を検知することで、人の有無を検知する焦電型センサＰＩＲからなる人体センサ部１１１と、周囲の明るさを検出するフォトＩＣダイオードＰＤからなる照度センサ部１１２とから構成されている。焦電型センサＰＩＲは、人を検知するとＨｉｇｈレベルの人検知信号Ｓ１を出力し、人を未検知の場合はＬｏｗレベルの人検知信号Ｓ１を出力する。また、フォトＩＣダイオードＰＤは、周囲の照度に応じた照度電圧Ｖ１を出力する。
【００１１】
点灯制御部１２は、後述する各部の動作を制御するマイクロコンピュータＩＣ１（以下、マイコンＩＣ１と称す）で構成されており、焦電型センサＰＩＲが出力する人検知信号Ｓ１および、フォトＩＣダイオードＰＤが出力する照度電圧Ｖ１に基づいて負荷駆動信号Ｓ２を出力する。
【００１２】
負荷駆動部１３は、点灯制御部１２が出力する負荷駆動信号Ｓ２をトリガ信号として、負荷駆動信号Ｓ２がＨｉｇｈレベルの場合、図示しないトライアックのゲートトリガ電流が流れてトライアックがオンし、ＬＥＤ点灯装置２へ商用電源ＡＣを供給する。また、負荷駆動信号Ｓ２がＬｏｗレベルの場合、トライアックはオフして、ＬＥＤ点灯装置２への商用電源ＡＣの供給が遮断される。
【００１３】
入力保護部１４は、図示しない商用電源から電流ヒューズと、フィルムコンデンサと、雑音防止フィルタとで構成されている。
【００１４】
整流平滑部１５は、図示しない半波整流平滑回路を構成するダイオードと、アルミ電解コンデンサとで構成されている。
【００１５】
制御電源部１６は、図示しない降圧チョッパ回路を構成するスイッチング電源用ＩＣと、インダクタと、高速ダイオードとで構成されており、直流電圧Ｖｃｃを生成し、センサ部１１と点灯制御部１２に直流電圧Ｖｃｃを出力している。
【００１６】
また、ＬＥＤ点灯装置２は、ＬＥＤ入力保護部２１と、ＬＥＤ整流平滑部２２と、ＬＥＤ直流電源部２３とで構成されている。
【００１７】
ＬＥＤ入力保護部２１は、図示しない電流ヒューズと、フィルムコンデンサと、雑音防止フィルタとから構成され、負荷駆動部１３を介して商用電源ＡＣが供給される。
【００１８】
ＬＥＤ整流平滑部２２は、図示しないダイオードブリッジと、アルミ電解コンデンサとで全波整流平滑回路を構成して整流電圧を生成し、整流電圧をＬＥＤ直流電源部２１に印加している。
【００１９】
ＬＥＤ直流電源部２３は、図示しないスイッチング電源用ＩＣと、インダクタと、高速ダイオードとで構成された降圧チョッパ回路にて、ＬＥＤ発光部４へ直流電圧を印加する。
【００２０】
ＬＥＤ発光部４は、図示しない複数のＬＥＤ素子が直並列接続され、レンズと１パッケージに一体化されてプリント基板上に実装した形で構成され、ＬＥＤ直流電源部が出力する直流電圧が印加されて発光する。
【００２１】
本従来例における照明装置５の動作を図１２（ａ）〜（ｃ）を用いて説明する。図１２（ａ）はフォトＩＣダイオードＰＤが出力する照度電圧Ｖ１、（ｂ）は焦電型センサＰＩＲの人検知信号Ｓ１のＨｉｇｈ・Ｌｏｗ、（ｃ）はＬＥＤ発光部４の点灯・消灯を示したタイミングチャートである。
【００２２】
図１２のａ点、ｂ点において、焦電型センサＰＩＲが人を検知してＨｉｇｈレベルの人検知信号Ｓ１を出力したとき、フォトＩＣダイオードＰＤの照度電圧Ｖ１が所定の点灯開始照度設定値Ｖ２よりも高ければ、マイコンＩＣ１により消灯制御と判断され、Ｌｏｗレベルの負荷駆動信号Ｓ２が負荷駆動部１３に出力される。そして、Ｌｏｗレベルの負荷駆動信号Ｓ２を受けた負荷駆動部１３内のトライアックはオフ制御となり、ＬＥＤ発光部４は消灯のままとなる。
【００２３】
次に、図１２のｃ点時のように、焦電型センサＰＩＲが人を検知してＨｉｇｈレベルの人検知信号Ｓ１がマイコンＩＣ１に出力されたとき、フォトＩＣダイオードＰＤの照度電圧Ｖ１が点灯開始照度設定値Ｖ２よりも低ければ、マイコンＩＣ１は照明負荷を点灯させると判断し、Ｈｉｇｈレベルの負荷駆動信号Ｓ２を商用周波毎に所定のタイミングで負荷駆動部１３に出力する。そして、Ｈｉｇｈレベルの点灯制御信号を受けた負荷駆動部１３内のトライアックはオン制御となり、ＬＥＤ点灯装置２へ商用電源ＡＣが供給され、ＬＥＤ発光部４が点灯する。
【００２４】
また、マイコンＩＣ１には点灯保持機能を有しており、人検知信号Ｓ１がＨｉｇｈレベルからＬｏｗレベルに反転してから、点灯保持時間Ｔ２の間、マイコンＩＣ１はＨｉｇｈレベルの負荷駆動信号Ｓ２を負荷駆動部１３に出力し、ＬＥＤ発光部４の点灯を継続させる。点灯保持時間Ｔ２が経過すると、マイコンＩＣ１はＬｏｗレベルの負荷駆動信号Ｓ２を負荷駆動部１３に出力し、ＬＥＤ発光部４を消灯する。なお、本従来例の点灯開始照度設定値Ｖ２の設定は、フォトＩＣダイオードＰＤの照度電圧Ｖ１の出力特性を考慮し、約５０ルクスに設定され、点灯保持時間Ｔ２は、１分に設定されている。
【先行技術文献】
【非特許文献】
【００２５】
【非特許文献１】発明協会公開技報  公技番号２００２−５０２２６６号
【発明の概要】
【発明が解決しようとする課題】
【００２６】
従来例１の照明装置において、照明用主電源の開閉スイッチを太陽電池で作動させるスイッチ回路にすることによって、昼間の待機電力をゼロとすることができるが、夜間になると常時制御電源が供給されることとなるため、夜間における待機電力を低減することはできない。
【００２７】
また、照度センサ素子としてＣｄＳ光導電セルやフォトＩＣダイオードを用いた既存の照明装置に対して、照度センサ素子として太陽電池パネルで代替しようとした場合、太陽電池のセルのコストが高く、周囲の明るさを検出する受光面の構造設計にも影響を与え、照明装置が大型になるおそれがある。
【００２８】
さらに、太陽電池の起電力を制御電源としても利用することで、更なる待機電力の消費を軽減することができるが、それを夜間に適用するためには、蓄電池等の負荷部品が必要となり、結果としてコストの増加および装置の大型化を招くことになる。
【００２９】
従来例２の照明装置５において、センサ部１１を駆動するためには、制御電源部１６は常に直流電圧Ｖｃｃを出力しておく必要がある。そのため、点灯制御部１２のマイコンＩＣ１は、常に直流電圧Ｖｃｃが印加され、常時駆動していることとなる。したがって、照明負荷を点灯しない待機状態において、不要な待機電力を消費していることとなる。
【００３０】
さらに、点灯制御装置１には入力保護部１４、整流平滑部１５、制御電源部１６が設けられており、ＬＥＤ点灯装置２にはＬＥＤ入力保護部２１、ＬＥＤ整流平滑部２１、ＬＥＤ直流電源部２３が設けられている。これは、ＬＥＤ光源の点灯制御をＬＥＤ点灯装置２への商用電源ＡＣのオン・オフによって制御する構成としているためである。しかし、点灯制御装置１およびＬＥＤ点灯装置２にそれぞれ同様の機能を有した回路部が重複して設けられており、コストの増加および装置の大型化を招くことになる。
【００３１】
本発明は、上記事由に鑑みてなされたものであり、その目的は、昼夜を問わず常に待機電力を低減させた点灯装置および、これを備えた照明装置、照明器具を提供することにある。
【課題を解決するための手段】
【００３２】
請求項１の発明は、照明負荷の動作を制御する点灯制御部と、点灯制御部を駆動するための制御駆動電圧を生成する制御電源部と、照明負荷周辺の状態を検知するセンサ部と、センサ部を駆動するためのセンサ駆動電圧を生成するセンサ電源部と、照明負荷に電力を供給する負荷駆動部とを備え、センサ電源部は、センサ部にセンサ駆動電圧を常時供給し、センサ部の検知結果に基づいて、少なくとも制御電源部は、点灯制御部への制御駆動電圧の供給をオン・オフすることを特徴とする。
【００３３】
この発明によれば、照明負荷を点灯しない待機状態において、昼夜を問わず常にセンサ部のみへの必要最小限の電源供給に抑えることができるため、待機電力を低減させることができる。
【００３４】
請求項２の発明は、請求項１の発明において、前記負荷駆動部は、直流電圧を生成する直流電源部を含んで構成されており、前記センサ部の検知結果に基づいて、前記制御電源部は、前記点灯制御部に前記制御駆動電圧の供給をオン・オフすると共に、直流電源部は、直流電圧の出力をオン・オフすることを特徴とする。
【００３５】
この発明によれば、照明負荷を点灯しない待機状態において、直流電源部は直流電源の出力をオフしていることによって、さらに待機電力を低減させることができる。
【００３６】
請求項３の発明は、請求項１の発明において、前記負荷駆動部は、直流電圧を生成する直流電源部を含んで構成されており、前記制御電源部は、当該直流電圧を基に前記制御駆動電圧を生成して前記点灯制御部に供給する構成であり、前記センサ部の検知結果に基づいて、直流電源部は直流電圧の出力を制御することで、点灯制御部への制御駆動電圧の供給を制御することを特徴とする。
【００３７】
この発明によれば、制御電源部から点灯制御部に供給される制御駆動電圧は、直流電源部が生成する直流電圧から生成されるため、制御電源部を構成する回路部品の部品点数削除および、部品スペックを低減することができ、コストの低下と点灯装置の小型化が可能となる。
【００３８】
請求項４の発明は、請求項１乃至３のいずれか１項の発明において、前記センサ部は、人の存否を検出する人感センサ素子を有し、人感信号を出力することを特徴とする。
【００３９】
この発明によれば、点灯装置周辺での人の存否によって、照明負荷の点灯を制御することが可能となる。
【００４０】
請求項５の発明は、請求項１乃至４のいずれか１項の発明において、前記センサ部は、周囲の照度を検出する照度センサ素子を有し、照度信号を出力することを特徴とする。
【００４１】
この発明によれば、点灯装置周囲の照度に応じて、照明負荷の点灯を制御することができる。
【００４２】
請求項６の発明は、請求項１乃至５のいずれか１項に記載の点灯装置と、当該点灯装置によって点灯される照明負荷とを備えることを特徴とする。
【００４３】
この発明によれば、照明装置において、照明負荷を点灯しない待機状態は、昼夜を問わず常にセンサ部のみへの必要最小限の電源供給に抑えることができるため、待機電力を低減させることができる。
【００４４】
請求項７の発明は、請求項６記載の照明装置と、当該照明装置が装着される器具本体とを備えることを特徴とする。
【００４５】
この発明によれば、照明器具において、照明負荷を点灯しない待機状態は、昼夜を問わず常にセンサ部のみへの必要最小限の電源供給に抑えることができるため、待機電力を低減させることができる。
【発明の効果】
【００４６】
以上説明したように、本発明では、昼夜を問わず常に待機電力を低減させることができるという効果がある。
【図面の簡単な説明】
【００４７】
【図１】実施形態１のブロック構成を示す図である。
【図２】同上の回路構成を示す図である。
【図３】同上の動作のタイミングチャートである。
【図４】実施形態２のブロック構成を示す図である。
【図５】同上の回路構成を示す図である。
【図６】同上の動作のタイミングチャートである。
【図７】実施形態３のブロック構成を示す図である。
【図８】同上の回路構成を示す図である。
【図９】同上の動作のタイミングチャートでる。
【図１０】実施形態４の外観斜視図である。
【図１１】従来例２のブロック構成を示す図である。
【図１２】同上の動作のタイミングチャートである。
【発明を実施するための形態】
【００４８】
以下、本発明の実施の形態を図面に基づいて説明する。
【００４９】
（実施形態１）
本発明における第１の実施形態として、図１にブロック構成図、図２に回路構成図、図３に動作のタイミングチャートを示す。
【００５０】
本実施形態は、白熱灯ＬＡ１を照明負荷としたセンサ機能付きの照明装置５である。照明装置５は、点灯装置３と白熱灯ＬＡ１とで構成されている。
【００５１】
点灯装置３は、負荷駆動部１３と点灯制御装置１とで構成され、点灯制御装置１は、センサ部１１と、点灯制御部１２と、入力保護部１４と、整流平滑部１５と、制御電源部１６と、センサ電源部１７と、スイッチ回路部ＳＷとで構成されている。以下に、図１を用いて、各部の概略構成を説明する。
【００５２】
センサ部１１は、照明装置５の周囲の検知エリアにおいて、人から放射される赤外線を検知することで、人の存否を検知する焦電型センサＰＩＲを有した人体センサ部１１１で構成されており、人を検知すると人検知信号Ｓ１を出力する。
【００５３】
点灯制御部１２は、白熱灯ＬＡ１の点灯状態を制御するマイコンＩＣ１で構成されており、負荷駆動部１３に負荷駆動信号Ｓ２を出力することで、白熱灯ＬＡ１の動作を制御している。
【００５４】
負荷駆動部１３は、トライアックＴＲ１を有しており、点灯制御部１２が出力する負荷駆動信号Ｓ２をトリガ信号として、白熱灯ＬＡ１への商用電源ＡＣの供給をオン・オフしている。なお、負荷駆動信号Ｓ２がＨｉｇｈレベルの場合、トライアックＴＲ１にゲートトリガ電流が流れてトライアックＴＲ１がオンし、白熱灯ＬＡ１に商用電源ＡＣが供給され、白熱灯ＬＡ１が点灯する構成となっている。また、負荷駆動信号Ｓ２がＬｏｗレベルの場合、トライアックＴＲ１はオフして、白熱灯ＬＡ１への商用電源ＡＣの供給は遮断され、白熱灯ＬＡ１は消灯する。
【００５５】
入力保護部１４は、商用電源ＡＣと接続しており、電流ヒューズＦＵＳＥ、フィルムコンデンサＣ１４１、雑音防止フィルタＬ１４１等で構成されており、サージ等から照明装置５を保護する。
【００５６】
整流平滑部１５は、半波整流平滑回路を構成する、ダイオードＤ１５１と、アルミ電解コンデンサＣ１５１とで構成されており、商用電源ＡＣを整流電圧Ｖ０に変換する。
【００５７】
制御電源部１６は、降圧チョッパ回路を構成するスイッチング電源回路ＩＣ２（以下、電源回路ＩＣ２と称す）、インダクタＬ１６１、高速ダイオードＤ１６１等で構成されており、整流平滑部１５で変換された整流電圧Ｖ０を降圧して、点灯制御部１２に印加する制御電圧Ｖｃｃ２を生成する。
【００５８】
センサ電源部１７は、整流平滑部１５で変換された整流電圧Ｖ０を基に、センサ部１１に印加するセンサ電源電圧Ｖｃｃ１を生成する。
【００５９】
スイッチ回路部ＳＷは、ダイオードＤ１１１、Ｄ１２１およびトランジスタＱ１、Ｑ２等で構成されており、制御電圧Ｖｃｃ２の点灯制御部１２への印加をオン・オフ制御している。
【００６０】
次に、図２を用いて本実施形態の詳細な回路構成を説明する。
【００６１】
入力保護部１４は、コネクタＣＯＮ１の端子２、３を介して商用電源ＡＣが入力される。入力保護部１４において、コネクタＣＯＮ１の端子３には電流ヒューズＦＵＳＥ、コネクタＣＯＮ１の端子２には雑音防止フィルタＬ１４１が直列接続されている。また、バリスタＺＮＲと抵抗Ｒ１４１とフィルムコンデンサＣ１４１とが、それぞれコネクタＣＯＮ１の端子２、３間に並列接続されている。上記の構成によって、サージによる照明装置５の保護または、商用電源ＡＣの雑音を除去している。
【００６２】
次に、整流平滑部１５において、ダイオードＤ１５１のアノードが電流ヒューズＦＵＳＥを介してコネクタＣＯＮ１の端子３に接続されている。また、アルミ電解コンデンサＣ１５１とダイオードＤ１５２が、それぞれコネクタＣＯＮ１の端子２、３間に並列接続されており、アルミ電解コンデンサＣ１５１の正極性およびダイオードＤ１５２のカソードが、ダイオードＤ１５１のカソードに接続され、アルミ電解コンデンサＣ１５１の負極性およびダイオードＤ１５２のアノードが、雑音防止フィルタＬ１４１を介してコネクタＣＯＮ１の端子２に接続されている。上記の構成によって、商用電源ＡＣを半波整流して、アルミ電解コンデンサＣ１５１の両端に整流電圧Ｖ０が生成される。
【００６３】
次に、制御電源部１６による制御電圧Ｖｃｃ２の生成について説明する。制御電源部１６は、降圧チョッパ回路を構成する電源回路ＩＣ２（例えば、パナソニック株式会社製ＩＰＤ、品番ＭＩＰ０２５４）を有している。電源回路ＩＣ２は、ＦＥＴとＦＥＴ制御回路を内蔵しており、入力電圧を所望の電圧に変換して出力するものである。電源回路ＩＣ２のドレイン端子に整流電圧Ｖ０が印加され、ソース−ドレイン端子間にコンデンサＣ１６２、ソース−バイパス端子間にコンデンサＣ１６１が接続されている。また、ソース端子はインダクタＬ１６１を介して、アルミ電解コンデンサＣ１６１の正極性に接続されている。また、アルミ電解コンデンサＣ１６１と並列に、抵抗Ｒ１６２とツェナーダイオードＺＤ１６１と抵抗Ｒ１６１との直列回路が接続されており、抵抗１６２と並列にフォトカプラＰＣ１の発光ダイオードＰＣ１１が接続されている。また、フォトカプラＰＣ１のフォトトランジスタＰＣ１２が、電源回路ＩＣ２のＦＢ端子およびソース端子に接続されている。また、アルミ電解コンデンサＣ１６１の負極性が、ダイオードＤ１６１のアノードに接続され、ダイオードＤ１６１のカソードはインダクタＦＢ１を介して、電源回路ＩＣ２のソース端子に接続される。上記の構成によって、電源回路ＩＣ２のドレイン端子に印加された整流電圧Ｖ０を、フォトカプラＰＣ１を用いてフィードバックして、所望の電圧に降圧してソース端子から出力することで、アルミ電解コンデンサＣ１６１の両端に制御電圧Ｖｃｃ２が生成される。
【００６４】
次に、センサ電源部１７によるセンサ電源電圧Ｖｃｃ１の生成について説明する。整流平滑部１５で生成された整流電圧Ｖ０は、センサ電源部１７に設けられた分圧抵抗Ｒ１７１、Ｒ１７２で分圧される。そして、分圧抵抗Ｒ１７２と並列にコンデンサＣ１７１と、ツェナーダイオードＺＤ１７１が接続され、ツェナーダイオードＺＤ１７１の両端に生じるツェナー電圧がセンサ電源電圧Ｖｃｃ１となる。
【００６５】
そして、センサ部１１の人感センサ部１１１を構成する焦電型センサＰＩＲは、ツェナーダイオードＺＤ１１７と並列に接続され、センサ電源電圧Ｖｃｃ１が印加される。なお、本実施形態における焦電型センサＰＩＲは、検知エリア内に人の存在を検知した場合はＨｉｇｈレベルの人検知信号Ｓ１を出力し、非検知の場合はＬｏｗレベルの人検知信号Ｓ１を出力する。
【００６６】
また、焦電型センサＰＩＲに印加されるセンサ電源電圧Ｖｃｃ１は、商用電源ＡＣが照明装置５に接続されると、常にセンサ電源部１７によって生成され、焦電型センサＰＩＲに印加されているものである。
【００６７】
次にスイッチ回路部ＳＷについて説明する。
【００６８】
焦電型センサＰＩＲの出力端子は、順接続されたダイオードＤ１１１と抵抗Ｒ１を介してＮＰＮ型トランジスタＱ２のベース端子に接続されている。また、トランジスタＱ２のベース−エミッタ端子間にコンデンサＣ１が接続され、トランジスタＱ２のコレクタ端子は、抵抗Ｒ２を介してＰＮＰ型トランジスタＱ１のベース端子に接続されている。トランジスタＱ１のエミッタ端子には、制御電源部１６で生成された制御電圧Ｖｃｃ２が印加され、トランジスタＱ１のコレクタ端子は、点灯制御部１２を構成しているマイコンＩＣ１の電源入力端子に接続されている。
【００６９】
上記の構成によって、焦電型センサＰＩＲが人を検知してＨｉｇｈレベルの人検知信号Ｓ１を出力すると、トランジスタＱ２がオンすることによって、トランジスタＱ１がオンし、マイコンＩＣ１に制御電圧Ｖｃｃ２が印加される。また、焦電型センサＰＩＲが人を検知せずＬｏｗレベルの人検知信号Ｓ１を出力すると、トランジスタＱ２がオフすることで、トランジスタＱ１もオフするので、制御電圧Ｖｃｃ２のマイコンＩＣ１への供給は遮断される。つまり、焦電型センサＰＩＲが人を検知した場合のみ、マイコンＩＣ１に制御電圧Ｖｃｃ２が印加されることとなる。
【００７０】
次に、マイコンＩＣ１を備えた点灯制御部１２について説明する。マイコンＩＣ１は、スイッチ回路部ＳＷを介して、制御電圧Ｖｃｃ２がマイコンＩＣ１の電源入力端子に印加されることによって動作する。マイコンＩＣ１の電源同期信号入力端子は、電源入力端子と接続すると共に、電源同期信号入力端子とＧＮＤ間にコンデンサＣ１２２が設けられている。発振子端子１、２間には抵抗Ｒ１２４と発振子Ｘ１がそれぞれ並列接続されている。点灯駆動信号出力端子は、抵抗Ｒ１３２を介してＰＮＰ型トランジスタＱ１３１のベース端子に接続され、負荷駆動信号Ｓ２を出力することで、トランジスタＱ１３１とトライアックＴＲ１をオン・オフしている。
【００７１】
マイコンＩＣ１は点灯保持機能を有しており、点灯保持時間設定端子が、電源入力端子とＧＮＤ間に設けられたロータリーボリュームＶＲ１に接続されると共に、点灯保持時間設定端子とＧＮＤ間にコンデンサＣ１２３が設けられている。ロータリーボリュームＶＲ１を調整することによって、点灯保持時間設定端子には、０〜Ｖｃｃ２の範囲の電圧が印加され、印加された電圧に応じて、負荷駆動信号Ｓ２の出力継続時間を制御することで、白熱灯ＬＡ１の点灯保持時間Ｔ２を設定することができる。そして、焦電型センサＰＩＲが出力する人検知信号Ｓ１がＨｉｇｈからＬｏｗに反転してから、点灯保持時間Ｔ２の間は負荷駆動信号Ｓ２の出力が継続され、白熱灯ＬＡ１の点灯も継続される。
【００７２】
また、マイコンＩＣ１は制御電源継続機能を有しており、制御電源継続信号端子が、順接続されたダイオードＤ１２１と抵抗Ｒ１を介してトランジスタＱ２のベース端子に接続され、制御電源継続信号Ｓ３を出力する。制御電源継続信号端子が、Ｈｉｇｈレベルの制御電源継続信号Ｓ３を出力することによって、トランジスタＱ２がオンして、トランジスタＱ１がオンするので、焦電型センサＰＩＲが出力する人検知信号Ｓ１がＨｉｇｈからＬｏｗに反転しても、即時にマイコンＩＣ１への制御電圧Ｖｃｃ２の印加が遮断されることはなく、Ｈｉｇｈレベルの制御電源継続信号Ｓ３が出力されている間は、制御電圧Ｖｃｃ２の印加は継続される。人検知信号Ｓ１がＨｉｇｈからＬｏｗに反転してから、Ｈｉｇｈレベルの制御電源継続信号Ｓ３を出力している時間を制御電源継続時間Ｔ１とする。なお、制御電源継続信号Ｓ３は、マイコンＩＣ１に制御電圧Ｖｃｃ２が印加され、人感センサ信号入力端子がＨｉｇｈレベルの人検知信号Ｓ１を検出すると、Ｈｉｇｈレベルの制御電源継続信号Ｓ３が出力される。
【００７３】
人感センサ信号入力端子は、焦電型センサＰＩＲの出力端子と接続しており、人検知信号Ｓ１がＨｉｇｈからＬｏｗに反転するのを検出すると、制御電源継続時間Ｔ１と点灯保持時間Ｔ２のカウントを開始する。なお、制御電源継続時間Ｔ１と点灯保持時間Ｔ２との関係は、Ｔ１＞Ｔ２であり、Ｔ１＝Ｔ２＋αの時間となるように、マイコンＩＣ１内のプログラムにて予め設定されている。
【００７４】
また、点灯制御装置１２は、マイコンＩＣ１の電源入力端子とＧＮＤ間に、照度センサＱ１２１を備えている。また、電流ヒューズＦＵＳＥの後段とＧＮＤ間に、順接続されたダイオードＤ１２２と分圧抵抗Ｒ１２１、Ｒ１２２、Ｒ１２３とが直列接続され、分圧抵抗Ｒ１２３と並列にコンデンサＣ１２１と照度センサＱ１２１の電源入力端子が接続されている。そして、照明装置５の周囲の照度が、所定のレベル以上の場合、照度センサＱ１２１はオンして、電源入力端子とＧＮＤが短絡されて、焦電型センサＰＩＲが人を検知してＨｉｇｈレベルの人検知信号Ｓ３を出力して、トランジスタＱ１、Ｑ２がオンしても、マイコンＩＣ１に制御電圧Ｖｃｃ２は印加されない。また、照明装置５の周囲の照度が、所定のレベル未満の場合、照度センサＱ１２１はオフして、電源入力端子とＧＮＤは遮断されるので、焦電型センサＰＩＲが人を検知してＨｉｇｈレベルの人検知信号Ｓ３を出力すると、トランジスタＱ１、Ｑ２がオンして、マイコンＩＣ１に制御電圧Ｖｃｃ２が印加される。つまり、周囲が明るい場合は、人を検知してもマイコンＩＣ１に制御電圧Ｖｃｃ２が印加されず、白熱灯ＬＡ１は点灯しない。また、周囲が暗い場合は、人を検知するとマイコンＩＣ１に制御電圧Ｖｃｃ２が印加されて、白熱灯ＬＡ１が点灯する。
【００７５】
負荷駆動部１３において、マイコンＩＣ１から出力された負荷駆動信号Ｓ２は、抵抗Ｒ１３２を介してＰＮＰ型トランジスタＱ１３１のベース端子に出力される。また、トランジスタＱ１３１のコレクタ−ＧＮＤ間には抵抗Ｒ１３３、エミッタ−ベース間には抵抗Ｒ１３１が設けられている。また、トランジスタＱ１３１のエミッタ端子は、トライアックＴＲ１のゲート端子に接続されている。トライアックＴＲ１の一端とゲート端子との間には抵抗Ｒ１３４とコンデンサＣ１３１が並列接続され、トライアックＴＲ１の一端は、入力保護部１４の雑音防止フィルタＬ１４１の後段に接続され、商用電源ＡＣが接続される。また、トライアックＴＲ１の他端は、コネクタＣＯＮ１の端子１を介して白熱灯ＬＡ１の一端に接続されている。また、白熱灯ＬＡ１の他端は、コネクタＣＯＮ１の端子３を介して商用電源ＡＣが接続される。上記の構成によって、トライアックＴＲ１がオンすることによって、白熱灯ＬＡ１に商用電源ＡＣが供給される。つまり、マイコンＩＣ１から出力される負荷駆動信号Ｓ２がＨｉｇｈレベルの場合、トランジスタＱ１３１はオフすることで、トライアックＴＲ１がオンして、白熱灯ＬＡ１に商用電源ＡＣが供給されて点灯する。また、負荷駆動信号Ｓ２がＬｏｗレベルの場合、トランジスタＱ１３１はオンすることで、トライアックＴＲ１がオフするので、白熱灯ＬＡ１への商用電源ＡＣの供給が遮断されて消灯する。
【００７６】
次に、本実施形態の照明装置５の動作を、図３（ａ）〜（ｄ）を用いて説明する。図３（ａ）は焦電型センサＰＩＲの人検知信号Ｓ１のＨｉｇｈ・Ｌｏｗ、（ｂ）はマイコンＩＣ１の電源電圧Ｖｃｃ２、（ｃ）はマイコンＩＣ１の負荷駆動信号Ｓ２のＨｉｇｈ・Ｌｏｗ、（ｄ）は白熱灯ＬＡ１の点灯・消灯のタイミングチャートを示している。
【００７７】
図３のａ点、ｂ点において、焦電型センサＰＩＲがＨｉｇｈレベルの人検知信号Ｓ１を出力しているが、マイコンＩＣ１には制御電圧Ｖｃｃ２は印加されていない。これは、人検知信号Ｓ１のＨｉｇｈレベル時間が短い、狭パルス信号の場合は、トランジスタＱ２がオンしないように設定されているためである。これは、スイッチ回路部ＳＷの抵抗Ｒ１およびコンデンサＣ１の時定数により適宜設定することができ、焦電型センサＰＩＲの人検知感度設定（誤動作防止）を考慮して、狭パルス信号の場合には、「人検知」と判断しないようにしている。なお、本実施形態では４０ｍｓｅｃ以下の狭パルス信号の場合は、トランジスタＱ２がオンしないように設定されている。したがって、図３のａ点、ｂ点においては、トランジスタＱ２はオンしないため、トランジスタＱ１もオンしない。そのため、マイコンＩＣ１には制御電圧Ｖｃｃ２が印加されないので、マイコンＩＣ１から負荷駆動信号Ｓ２が出力されず（Ｌｏｗレベル）、トライアックＴＲ１はオフしているので、白熱灯ＬＡ１は消灯している。
【００７８】
次に、図３のｃ点において、焦電型センサＰＩＲの人検知信号Ｓ１のＨｉｇｈレベル時間Ｔ３が、Ｔ３＞４０ｍｓｅｃ以上の場合、トランジスタＱ２がオンするので、トランジスタＱ１がオンし、マイコンＩＣ１に制御電圧Ｖｃｃ２が印加される。マイコンＩＣ１に制御電圧Ｖｃｃ２が印加されることによって、マイコンＩＣ１が起動し、マイコンＩＣ１は「焦電型センサＰＩＲが人を検知して、白熱灯ＬＡ１を点灯させる」と判断し、マイコンＩＣ１の点灯駆動信号出力端子から、負荷駆動部１３のトランジスタＱ１３１へ商用周波毎に所定のタイミングで、Ｈｉｇｈレベルの負荷駆動信号Ｓ２を出力する。そして、トランジスタＱ１３１がオフすることで、トライアックＴＲ１がオンし、白熱灯ＬＡ１に商用電源ＡＣが供給されて、白熱灯ＬＡ１が点灯する。
【００７９】
また、図３のｃ点において、人検知信号Ｓ１のＨｉｇｈレベル時間Ｔ３が経過後、人検知信号Ｓ１はＬｏｗレベルに反転しているが、マイコンＩＣ１が制御電源継続機能と点灯保持機能を有しているため、制御電圧Ｖｃｃ２の印加と、白熱灯ＬＡ１の点灯が継続されている。そして、人検知信号Ｓ１がＬｏｗレベルに反転してから、制御電源継続時間Ｔ１および点灯保持時間Ｔ２より短い時間Ｔ４が経過後、再び人検知信号Ｓ１がＨｉｇｈレベルに反転することによって、制御電源継続時間Ｔ１および点灯保持時間Ｔ２の計時カウントがリセットされる。
【００８０】
その後、再び人検知信号Ｓ１がＬｏｗレベルに反転し、制御電源継続時間Ｔ１と点灯保持時間Ｔ２の計時カウントが開始され、点灯保持時間Ｔ２が経過後（図３のｄ点）、マイコンＩＣ１が消灯と判断し、Ｌｏｗレベルの負荷駆動信号Ｓ２をトランジスタＱ１３１に出力し、トランジスタＱ１３１がオンすることで、トライアックＴＲ１がオフし、白熱灯ＬＡ１への商用電源ＡＣの供給が遮断されて消灯する。そして、制御電源継続時間Ｔ１が経過すると、マイコンＩＣ１がＬｏｗレベルの制御電源継続信号Ｓ３をトランジスタＱ２に出力し、トランジスタＱ１、Ｑ２がオフすることで、マイコンＩＣ１への制御電圧Ｖｃｃ２の印加が遮断される。
【００８１】
上記の構成によって、白熱灯ＬＡ１を点灯しない待機時において、検知エリア内の人の存否を検知する焦電型センサＰＩＲにのみセンサ電源電圧Ｖｃｃ１が供給され、白熱灯ＬＡ１の点灯状態を制御するマイコンＩＣ１には制御電圧Ｖｃｃ２が供給されていない。そして、検知エリア内に人の存在を検知した場合にのみ、トランジスタＱ１がオンすることによって、マイコンＩＣ１に制御電圧Ｖｃｃ２を供給する構成となっている。そのため、待機時は常時マイコンＩＣ１の消費電力をゼロにすることができる。また、スイッチ回路部ＳＷに太陽電池や蓄電池等を設けていないため、照明装置５の極端な大型化や、コストの増加を招くことなく、昼夜を問わず常に待機電力を低減させることができる。
【００８２】
（実施形態２）
本発明における第２の実施形態として、図４にブロック構成図、図５に回路構成図、図６に動作のタイミングチャートを示す。
【００８３】
本実施形態は、センサ部１１の出力信号に基づいて、マイコンＩＣ１への制御電圧Ｖｃｃ２の印加のオン・オフと、直流電源部２３の駆動をオン・オフすることを特徴とした、蛍光灯ＬＡ２を照明負荷とするセンサ機能付きの照明装置５である。照明装置５は、点灯装置３と照明負荷部４とで構成され、点灯装置３は、照明負荷の点灯状態を制御する点灯制御装置１と、商用電源ＡＣに接続され、点灯制御装置１からの制御によって蛍光灯ＬＡ２を点灯させる点灯回路装置２とを備えている。
【００８４】
点灯制御装置１は、センサ部１１と、点灯制御部１２と、制御電源部１６と、センサ電源部１７と、スイッチ回路部ＳＷとで構成されている。点灯回路装置２は、入力保護部２１と、整流平滑部２２と、直流電源部２３と、インバータ部２４とで構成されている。以下に、図４を用いて、各部の概略構成を説明する。
【００８５】
照明負荷部４は、蛍光灯ＬＡ２で構成されている。
【００８６】
センサ部１１は、照明装置５の周囲の検知エリアにおいて、人から放射される赤外線を検知することで、人の存否を検知する焦電型ＰＩＲを有した人体センサ部１１１と、照明装置５の周囲の照度を検出するフォトＩＣダイオードＰＤからなる人体センサ部１１２とで構成されている。また、焦電型ＰＩＲは人を検知するとＨｉｇｈレベルの人検知信号Ｓ１を出力し、フォトＩＣダイオードＰＤは照度に応じて照度電圧Ｖ１を出力する。
【００８７】
点灯制御部１２は、蛍光灯ＬＡ２の点灯状態を制御するマイコンＩＣ１で構成されており、点灯回路装置２に負荷駆動信号Ｓ２を出力することで、蛍光灯ＬＡ２の点灯状態を制御している。
【００８８】
制御電源部１６は、降圧チョッパ回路を構成するスイッチング電源回路ＩＣ４（以下、電源回路ＩＣ４と称す）、インダクタＬ１６１、高速ダイオードＤ１６１、Ｄ１６２等で構成されており、後述する直流電源２３で生成された直流電圧ＶＤＣを降圧して、点灯制御部１２に印加する制御電圧Ｖｃｃ２を生成する。
【００８９】
センサ電源部１７は、後述する直流電源２３で生成された直流電圧ＶＤＣを基に、センサ部１１に印加するセンサ電源電圧Ｖｃｃ１を生成する。
【００９０】
入力保護部２１は、商用電源ＡＣと接続しており、電流ヒューズＦＵＳＥ、フィルムコンデンサＣ２１１、雑音防止フィルタＬＦ等で構成されており、サージ等から照明装置５を保護する。
【００９１】
整流平滑部２２は、ダイオードＤ２２１〜Ｄ２２４の全波整流平滑回路で構成されており、商用電源ＡＣを整流して整流電圧Ｖ０を生成している。
【００９２】
直流電源部２３は、インダクタＬ２３１と、ＭＯＳＦＥＴで構成されたスイッチング素子Ｑ２３１と、高速ダイオードＤ２３１とからなる昇圧チョッパ回路２３ａと、アルミ電解コンデンサＣ２３２と、昇圧チョッパ回路２３ａおよび後述のインバータ回路２４ａを制御する制御回路ＩＣ３等で構成されており、直流電圧ＶＤＣを生成している。また、制御回路ＩＣ３は、制御電源部１６で生成される制御電圧Ｖｃｃ３が印加されることで駆動する。
【００９３】
インバータ部２４は、ＭＯＳＦＥＴからなるスイッチング素子Ｑ２４１、Ｑ２４２で構成されたインバータ回路２４ａと、直流カット用コンデンサＣ２４１とで構成されており、直流電圧ＶＤＣを高周波電圧に変換して、照明負荷部４に印加する。
【００９４】
照明負荷部４は、インバータ部２４の出力端に、共振用インダクタＬ４１と共振用コンデンサＣ４１が接続され、共振用コンデンサＣ４１と並列に照明負荷である蛍光灯ＬＡ２が設けられている。
【００９５】
スイッチ回路部ＳＷは、ダイオードＤ１１１、Ｄ１２１およびトランジスタＱ１、Ｑ２等で構成されており、制御電圧Ｖｃｃ２のマイコンＩＣ１への印加のオン・オフおよび、制御電圧Ｖｃｃ３の制御回路ＩＣ３への印加のオン・オフを制御している。
【００９６】
次に、図５を用いて本実施形態の詳細な回路構成を説明する。
【００９７】
入力保護部２１は、コネクタＣＯＮ１の端子１、２を介して商用電源ＡＣが入力される。コネクタＣＯＮ１の端子１には、電流ヒューズＦＵＳＥが直列接続されており、コネクタＣＯＮ１の端子１、２間にバリスタＺＮＲとフィルムコンデンサＣ２１１が並列接続されている。また、フィルムコンデンサＣ２１１の後段に雑音防止フィルタＬＦが設けられている。上記の構成によって、サージによる照明装置５の保護または、商用電源ＡＣの雑音を除去している。
【００９８】
整流平滑部２２は、入力保護部２１の雑音防止フィルタＬＦの後段に、ダイオードＤ２２１〜Ｄ２２４を用いてダイオードブリッジを形成し、商用電源ＡＣを整流して整流電圧Ｖ０を生成している。
【００９９】
直流電源部２３において、整流平滑部２２のダイオードブリッジの後段にコンデンサＣ２３１が接続されている。そして、コンデンサＣ２３１と並列に、インダクタＬ２３１と、スイッチング素子Ｑ２３１と、抵抗Ｒ２３１との直列回路が接続されている。また、スイッチング素子Ｑ２３１と抵抗Ｒ２３１の直列回路と並列に、ダイオードＤ２３１とアルミ電解コンデンサＣ２３２が接続されている。そして、インダクタＬ２３１とスイッチング素子Ｑ２３１と抵抗Ｒ２３１とダイオードＤ２３１とで、昇圧チョッパ回路２３ａを構成している。また、直流電源部２３は、スイッチング素子Ｑ２３１のオン・オフ動作を制御する制御回路ＩＣ３と、インダクタＬ２３１に設けられた電流検出巻線Ｎとを備えている。上記の構成で、制御回路ＩＣ３が、昇圧チョッパ回路２３ａのスイッチング素子Ｑ２３１をオン・オフ制御することで、整流電圧Ｖ０を昇圧してアルミ電解コンデンサＣ２３２の両端に直流電圧ＶＤＣが生成される。なお、制御回路ＩＣ３に、駆動電圧である制御電圧Ｖｃｃ３が印加されていない場合は、昇圧チョッパ回路２３ａは動作せず、整流電圧Ｖ０が直流電圧ＶＤＣとなる。
【０１００】
インバータ部２４と照明負荷部４において、アルミ電解コンデンサＣ２３２と並列に、スイッチング素子Ｑ２４１、Ｑ２４２の直列回路が設けられ、インバータ回路２４ａを構成している。また、スイッチング素子Ｑ２４２と並列に、直流カット用コンデンサＣ２４２と、共振用インダクタＬ４１と、共振用コンデンサＣ４１の直列回路が接続されており、共振用コンデンサＣ２４２と並列に、蛍光灯ＬＡ２が接続されている。上記の構成で、制御回路ＩＣ３がスイッチング素子Ｑ２４１、Ｑ２４２をオン・オフ制御することで、スイッチング素子Ｑ２４２の両端から高周波電圧を出力し、蛍光灯ＬＡ２が点灯する。
【０１０１】
センサ電源部１７は、アルミ電解コンデンサＣ２３２の両端に生じた直流電圧ＶＤＣを基に、センサ電源電圧Ｖｃｃ１を生成する。センサ電源部１７の構成は、アルミ電解コンデンサＣ２３２と並列に、分圧抵抗Ｒ１７１、Ｒ１７２の直列回路が設けられている。また、分圧抵抗Ｒ１７２と並列に、コンデンサＣ１７１と、ツェナーダイオードＺＤ１７１とが設けられ、ツェナーダイオードＺＤ１７１の両端に発生するツェナー電圧がセンサ電源電圧Ｖｃｃ１となる。また、照明装置５に商用電源ＡＣが供給されると、常にセンサ電源電圧Ｖｃｃ１が発生していることとなる。
【０１０２】
センサ部１１は、ツェナーダイオードＺＤ１７１と並列に、照度センサ部１１２であるフォトＩＣダイオードＰＤと抵抗Ｒ１１２の直列回路が接続されている。また、フォトＩＣダイオードＰＤと並列に、抵抗Ｒ１１１と、コンデンサＣ１１１が接続され、抵抗Ｒ１１２と並列に、ツェナーダイオードＺＤ１１１とコンデンサＣ１１２の直列回路が接続されている。また、コンデンサ１１１とツェナーダイオードＺＤ１１１とコンデンサ１１２の直列回路と並列に、抵抗Ｒ１１３とＮＰＮ型トランジスタＱ１１１が設けられている。トランジスタＱ１１１のベース端子はツェナーダイオードＺＤ１１１のアノードに接続され、コレクタ端子は抵抗Ｒ１１３に接続され、エミッタ端子はＧＮＤに接続されている。また、ツェナーダイオードＺＤ１７１のカソードにＰＮＰ型トランジスタＱ１１３のエミッタ端子が接続され、ベース−ＧＮＤ間に抵抗Ｒ１１４とＮＰＮ型トランジスタＱ１１２が接続されている。トランジスタＱ１１２のベース端子は、トランジスタＱ１１１のコレクタ端子に接続され、コレクタ端子は抵抗Ｒ１１４に接続され、エミッタ端子はＧＮＤに接続されている。また、ベース−ＧＮＤ間にコンデンサＣ１１３が設けられている。また、トランジスタＱ１１３のコレクタ端子とＧＮＤ間には、人体センサ部１１１である焦電型センサＰＩＲが接続されている。
【０１０３】
照度センサ部１１２であるフォトＩＣダイオードＰＤは、入射光量により出力電流が変化するものである。つまり、周囲が明るい場合は、フォトＩＣダイオードＰＤの出力電流が増加し、周囲が暗い場合は、フォトＩＣダイオードＰＤの出力電流が低下する。したがって、周囲が明るい場合は、フォトＩＣダイオードの後段に接続された抵抗Ｒ１１２の両端に生じる照度電圧Ｖ１が、センサ電源電圧Ｖｃｃ１に近付く。また、周囲が暗い場合は、抵抗Ｒ１１２の両端に生じる照度電圧Ｖ１が０に近付くこととなる。
【０１０４】
そして、照度電圧Ｖ１は、ツェナーダイオードＺＤ１１１に印加される構成となっており、周囲が明るく照度電圧Ｖ１がツェナーダイオードＺＤ１１１のツェナー電圧Ｖ２より高い場合は、トランジスタＱ１１１がオンする。そして、トランジスタＱ１１１がオンすることによって、トランジスタＱ１１２がオフし、トランジスタＱ１１３もオフするので、焦電型センサＰＩＲにセンサ電源電圧Ｖｃｃ１は印加されない。また、周囲が暗く照度電圧Ｖ１がツェナー電圧Ｖ２より低い場合は、トランジスタＱ１１１はオフする。そして、トランジスタＱ１１１がオフしているときは、トランジスタＱ１１２がオンするので、トランジスタＱ１１３もオンして、焦電型センサＰＩＲにセンサ電源電圧Ｖｃｃ１が印加される。
【０１０５】
つまり、フォトＩＣダイオードＰＤには常にセンサ電源電圧Ｖｃｃ１が印加されているので、常に周囲の照度を検知することができ、周囲が明るい場合は、焦電型センサＰＩＲへのセンサ電源電圧Ｖｃｃ１の印加は遮断され、人検知機能は動作しない。したがって、周囲が暗い場合のみ、焦電型センサＰＩＲにセンサ電源電圧Ｖｃｃ１が印加され、人検知機能が動作する。また、周囲の明るさに応じて人検知機能の動作をオン・オフする為のしきい値（人検知開始照度設定値）は、ツェナーダイオードＺＤ１１１のツェナー電圧Ｖ２を変更することによって設定することができる。
【０１０６】
次に、制御電源部１６について説明する。制御電源部１６は、アルミ電解コンデンサＣ２３２の両端に生じた直流電圧ＶＤＣを基に、制御電圧Ｖｃｃ２を生成する。制御電源部１６は、ＦＥＴとＦＥＴ制御回路を内蔵し、降圧チョッパ回路を構成する電源回路ＩＣ４（例えば、パナソニック株式会社製ＩＰＤ、品番ＭＩＰ２１３０００Ｌ）を備えている。電源回路ＩＣ４のドレイン端子には、直流電圧ＶＤＣが印加され、ソース端子とコントロール端子間にコンデンサＣ１６１が接続し、コンデンサＣ１６１と並列に、インダクタＬ１６１とツェナーダイオードＺＤ１６１と高速ダイオードＤ１６１との直列回路が接続されている。また、インダクタＬ１６１の前段とＧＮＤ間にダイオードＤ１６２が接続され、インダクタＬ１６１の後段とＧＮＤ間に、電解コンデンサＣ１６３とツェナーダイオードＺＤ１６２が並列接続されている。上記の構成によって、電源回路ＩＣ４は、ドレイン端子に入力した直流電圧ＶＤＣを降圧してソース端子から出力し、電解コンデンサＣ１６３の両端に制御回路ＩＣ３を駆動するための制御電圧Ｖｃｃ３が生成される。
【０１０７】
次に、スイッチ回路部ＳＷについて説明する。
【０１０８】
焦電型センサＰＩＲの出力端子は、順接続されたダイオードＤ１１１と抵抗Ｒ１を介してＮＰＮ型トランジスタＱ２のベース端子に接続されている。また、トランジスタＱ２のベース−ＧＮＤ間にコンデンサＣ１が接続され、エミッタ端子はＧＮＤに接続され、コレクタ端子は、抵抗Ｒ２を介してＰＮＰ型トランジスタＱ１のベース端子に接続されている。トランジスタＱ１のエミッタ端子には、制御電源部１６で生成された制御電圧Ｖｃｃ３が印加され、トランジスタＱ１のコレクタ端子は、制御回路ＩＣ３に接続されている。
【０１０９】
また、トランジスタＱ１のコレクタ端子は、ＮＰＮ型トランジスタＱ１６１のコレクタ端子にも接続され、トランジスタＱ１６１のコレクタ−ベース端子間に抵抗Ｒ１６１が接続されている。また、トランジスタＱ１６１のベース端子はツェナーダイオードＺＤ１６３を介してＧＮＤに接続され、エミッタ端子は、点灯制御部１２を構成しているマイコンＩＣ１の電源入力端子に接続されている。つまり、トランジスタＱ１６１がオンすると、ツェナーダイオードＺＤ１６３のツェナー電圧と、トランジスタＱ１６１のベース−エミッタ間電圧とを加算した電圧値が制御電圧Ｖｃｃ２となって、マイコンＩＣ１に印加される。
【０１１０】
上記の構成によって、焦電型センサＰＩＲが人を検知してＨｉｇｈレベルの人検知信号Ｓ１を出力すると、トランジスタＱ２がオンし、トランジスタＱ１、Ｑ１６１がオンすることで、制御回路ＩＣ３に制御電圧Ｖｃｃ３が印加されると共に、マイコンＩＣ１に制御電圧Ｖｃｃ２が印加される。また、焦電型センサＰＩＲが人を検知せずＬｏｗレベルの人検知信号Ｓ１を出力すると、トランジスタＱ２がオフし、トランジスタＱ１、Ｑ１６１もオフするので、制御電圧Ｖｃｃ３の制御用電子部品ＩＣ３への供給と、制御電圧Ｖｃｃ２のマイコンＩＣ１への供給が遮断される。つまり、周囲が暗く、焦電型センサＰＩＲが人を検知した場合のみ、制御用電子部品ＩＣ３に制御電圧Ｖｃｃ３、マイコンＩＣ１に制御電圧Ｖｃｃ２に印加される構成となっている。
【０１１１】
マイコンＩＣ１を備えた点灯制御部１２については、実施形態１と略同様の回路構成であるので、同一箇所は説明を省略する。実施形態１の点灯制御部との差異は、マイコンＩＣ１の点灯駆動信号出力端子が出力する負荷駆動信号Ｓ２は、制御回路ＩＣ３に出力される点である。制御回路ＩＣ３は、Ｈｉｇｈレベルの負荷駆動信号Ｓ２を受信すると昇圧チョッパ回路２３ａとインバータ回路２４ａを駆動して、蛍光灯ＬＡ２を点灯させる。また、Ｌｏｗレベルの負荷駆動信号Ｓ２を受信すると、昇圧チョッパ回路２３ａとインバータ回路２４ａを停止させ、蛍光灯ＬＡ２は消灯する。また、点灯制御部１２に備えられた照度センサ１２１において、本実施形態では、ダイオードＤ１２２、Ｄ１２３を備えており、商用電源ＡＣを全波整流した電圧を分圧して照度センサＱ１２１に印加されている。
【０１１２】
次に、本実施形態の照明装置５の動作を、図６（ａ）〜（ｅ）を用いて説明する。図６（ａ）はフォトＩＣダイオードＰＤが出力する照度電圧Ｖ１、（ｂ）は焦電型センサＰＩＲの人検知信号Ｓ１のＨｉｇｈ・Ｌｏｗ、（ｃ）はマイコンＩＣ１の電源電圧Ｖｃｃ２、（ｄ）はマイコンＩＣ１の負荷駆動信号Ｓ２のＨｉｇｈ・Ｌｏｗ、（ｅ）は蛍光灯ＬＡ２の点灯・消灯を示したタイミングチャートである。
【０１１３】
図６のａ点、ｂ点において、周囲の照度が高く、照度電圧Ｖ１が人検知開始照度設定値であるツェナー電圧Ｖ２よりも高いので、トランジスタＱ１１１がオンし、トランジスタＱ１１２、Ｑ１１３がオフするので、焦電型センサＰＩＲにセンサ電源電圧Ｖｃｃ１が印加されない。そのため、焦電型センサＰＩＲの検知エリアに人が存在しても、人検知信号Ｓ１は出力されない（Ｌｏｗレベル）ので、トランジスタＱ１、Ｑ２、Ｑ１６１がオフし、マイコンＩＣ１に制御電圧Ｖｃｃ２、制御回路ＩＣ３にＶｃｃ３が印加されず、昇圧チョッパ回路２３ａおよびインバータ回路２４ａが駆動しないので蛍光灯ＬＡ２は消灯している。
【０１１４】
次に図６のｃ点において、照度電圧Ｖ１が人検知開始照度設定値であるツェナー電圧Ｖ２よりも低いので、トランジスタＱ１１１がオフし、トランジスタＱ１１２、１１３がオンするので、焦電型センサＰＩＲにセンサ電源電圧Ｖｃｃ１が印加され、人検知機能が動作している。そして、実施形態１と同様に、焦電型センサＰＩＲの人検知信号Ｓ１のＨｉｇｈレベル時間Ｔ３がＴ３＞４０ｍｓｅｃ以上の場合、トランジスタＱ２がオンするので、トランジスタＱ１、Ｑ１６１がオンし、マイコンＩＣ１に制御電圧Ｖｃｃ２、制御回路ＩＣ３に制御電圧Ｖｃｃ３が印加される。そして、マイコンＩＣ１は「焦電型センサＰＩＲが人を検知して、蛍光灯ＬＡ２を点灯させる」と判断し、マイコンＩＣ１の点灯駆動信号出力端子から、制御回路ＩＣ３へ商用周波毎に所定のタイミングで、Ｈｉｇｈレベルの負荷駆動信号Ｓ２を出力する。そして、制御回路ＩＣ３が昇圧チョッパ回路２３ａとインバータ回路２４ａを駆動させることによって、蛍光灯ＬＡ２が点灯する。
【０１１５】
また、実施形態１と同様に、人検知信号Ｓ１のＨｉｇｈレベル時間Ｔ３が経過後、人検知信号Ｓ１はＬｏｗレベルに反転しているが、マイコンＩＣ１が制御電源継続機能と点灯保持機能を有しているため、制御電圧Ｖｃｃ２、Ｖｃｃ３の印加と、蛍光灯ＬＡ２の点灯が継続されている。そして、人検知信号Ｓ１がＬｏｗレベルに反転してから、制御電源継続時間Ｔ１および点灯保持時間Ｔ２より短い時間Ｔ４が経過後、再び人検知信号Ｓ１がＨｉｇｈレベルに反転することによって、制御電源継続時間Ｔ１および点灯保持時間Ｔ２の計時カウントがリセットされる。
【０１１６】
その後、再び人検知信号Ｓ１がＬｏｗレベルに反転し、制御電源継続時間Ｔ１と点灯保持時間Ｔ２の計時カウントが開始され、点灯保持時間Ｔ２が経過後（図６のｄ点）、マイコンＩＣ１が消灯と判断し、Ｌｏｗレベルの負荷駆動信号Ｓ２を制御回路ＩＣ３に出力することで、昇圧チョッパ回路２３ａとインバータ回路２４ａが停止して、蛍光灯ＬＡ２は消灯する。そして、制御電源継続時間Ｔ１が経過すると、マイコンＩＣ１がＬｏｗレベルの制御電源継続信号Ｓ３をトランジスタＱ２に出力し、トランジスタＱ１、Ｑ２、Ｑ１６１がオフすることで、マイコンＩＣ１への制御電圧Ｖｃｃ２の印加および、制御回路ＩＣ３への制御電圧Ｖｃｃ３の印加が遮断される。
【０１１７】
上記の構成によって、蛍光灯ＬＡ２を点灯しない待機時において、トランジスタＱ１がオフすることによって、マイコンＩＣ１に制御電圧Ｖｃｃ２、制御回路ＩＣ３にＶｃｃ３は印加されない。そして、周囲が暗く、焦電型センサＰＩＲの検知エリア内に人の存在を検知した場合にのみ、トランジスタＱ１がオンすることによって、マイコンＩＣ１に制御電圧Ｖｃｃ２、制御回路ＩＣ３にＶｃｃ３が印加され、蛍光灯ＬＡ２を点灯する構成となっている。そのため、待機時は常時マイコンＩＣ１と制御回路ＩＣ３の消費電力をゼロとすることができる。また、周囲が明るい場合は、焦電型センサＰＩＲにもセンサ電源電圧Ｖｃｃ１が印加されない構成となっているため、待機時の消費電力をさらに低減することができる。したがって、実施形態１と同様に、スイッチ回路部ＳＷに太陽電池や蓄電池等を設けていないため、照明装置５の極端な大型化や、コストの増加を招くことなく、昼夜を問わず常に待機電力を低減させることができる。
【０１１８】
また、本実施形態の点灯制御装置１は、点灯回路装置２の入力保護部２１と整流平滑部２２を共用化しているため、照明装置５を構成する回路部品の部品点数の削減によるコストの低下と小型化が可能となる。
【０１１９】
（実施形態３）
本発明における第３の実施形態として、図７にブロック構成図、図８に回路構成図、図９に動作のタイミングチャートを示す。
【０１２０】
本実施形態において、制御電源部１６は、ＬＥＤ直流電源部２３が出力する直流電圧ＶＤＣを基に制御電圧Ｖｃｃ２を生成する構成であり、センサ部１１の出力信号に基づいてＬＥＤ直流電源部２３の出力をオン・オフすることを特徴とし、ＬＥＤ光源ＬＡ３を照明負荷としたセンサ機能付きの照明装置５である。照明装置５は、点灯装置３とＬＥＤ発光部４とで構成され、点灯装置３は、ＬＥＤ発光部４の点灯状態を制御する点灯制御装置１と、商用電源ＡＣに接続され、点灯制御装置１からの制御によってＬＥＤ発光部４を点灯させる点灯回路装置２とを備えている。
【０１２１】
点灯制御装置１は、センサ部１１と、点灯制御部１２と、制御電源部１６と、センサ電源部１７とで構成されている。点灯回路装置２は、ＬＥＤ入力保護部２１と、ＬＥＤ整流平滑部２２と、ＬＥＤ直流電源部２３とで構成されている。以下に、図７を用いて、各部の概略構成を説明する。
【０１２２】
ＬＥＤ発光部４は、発光ダイオードＬＥＤ４１〜４６を備えたＬＥＤ光源ＬＡ３で構成されている。
【０１２３】
センサ部１１は、照明装置５の周囲の検知エリアにおいて、人から放射される赤外線を検知することで、人の存否を検知する焦電型ＰＩＲを有した人体センサ部１１１と、照明装置５の周囲の照度を検出するフォトＩＣダイオードＰＤからなる照度センサ部１１２とで構成されている。また、焦電型ＰＩＲは人を検知すると人検知信号Ｓ１を出力し、フォトＩＣダイオードＰＤは照度に応じて照度電圧Ｖ１を出力する。
【０１２４】
点灯制御部１２は、ＬＥＤ光源ＬＡ３の点灯状態を制御するマイコンＩＣ１で構成されており、点灯回路装置２に制御電源継続信号Ｓ３を出力することで、ＬＥＤ光源ＬＡ３の点灯状態を制御している。
【０１２５】
制御電源部１６は、後述するＬＥＤ直流電源部２３が出力する直流電圧ＶＤＣを基に、点灯制御部１２に印加する制御電圧Ｖｃｃ２を生成する。
【０１２６】
センサ電源部１７は、後述するＬＥＤ整流平滑部２２で整流された整流電圧Ｖ０を基に、センサ部１１に印加するセンサ電源電圧Ｖｃｃ１を生成する。
【０１２７】
ＬＥＤ入力保護部２１は、商用電源ＡＣと接続しており、電流ヒューズＦＵＳＥ、フィルムコンデンサＣ２１１、雑音防止フィルタＬＦ等で構成されており、サージ等から照明装置５を保護する。
【０１２８】
ＬＥＤ整流平滑部２２は、ダイオードＤ２２１〜Ｄ２２４と平滑用アルミ電解コンデンサＣ２２１からなる全波整流平滑回路で構成されており、商用電源ＡＣを整流して整流電圧Ｖ０に生成する。
【０１２９】
ＬＥＤ直流電源部２３は、降圧チョッパ回路を構成するスイッチング電源回路ＩＣ５（以下、電源回路ＩＣ５と称す）、インダクタＬ２３１、高速ダイオードＤ２３1、アルミ電解コンデンサＣ２３１等で構成されており、ＬＥＤ整流平滑部２２で生成された整流電圧Ｖ０を直流電圧ＶＤＣに降圧し、ＬＥＤ発光部４と制御電源部１６に出力する。
【０１３０】
次に、図８を用いて本実施形態の詳細な回路構成を説明する。
【０１３１】
ＬＥＤ入力保護部２１は、実施形態２の入力保護部と同様の回路構成であり、説明は省略する。
【０１３２】
ＬＥＤ整流平滑部２２は、ＬＥＤ入力保護部２１の雑音防止フィルタＬＦの後段に、ダイオードＤ２２１〜Ｄ２２４を用いてダイオードブリッジを形成し、ダイオードブリッジの後段にアルミ電解コンデンサＣ２２１とバリスタＺＮＲ２２１とが並列接続され、アルミ電解コンデンサＣ２２１の両端に整流電圧Ｖ０が生成される。
【０１３３】
そして、整流電圧Ｖ０がセンサ電源部１７に印加され、センサ電源電圧Ｖｃｃ１が生成される。なお、センサ電源部１７とセンサ部１１は、実施形態２と同様の回路構成であり、説明は省略する。
【０１３４】
センサ部１１の焦電型センサＰＩＲの出力端子は、順接続されたダイオードＤ１１１と抵抗Ｒ１を介して、ＮＰＮ型トランジスタＱ２のベース端子に接続されている。また、トランジスタＱ２のベース−ＧＮＤ間にコンデンサＣ１が接続され、エミッタ端子はＧＮＤに接続し、コレクタ端子は抵抗Ｒ２を介してＰＮＰ型トランジスタＱ１のベース端子に接続されている。トランジスタＱ１のエミッタ端子は、ＬＥＤ整流平滑部２２で生成された整流電圧Ｖ０が印加され、コレクタ端子は、ＬＥＤ直流電源部２３に接続されている。
【０１３５】
ＬＥＤ直流電源部２３は、降圧チョッパ回路を構成する電源回路ＩＣ５（例えば、パナソニック株式会社製ＩＰＤ、品番ＭＩＰ９Ｅ０Ｘ）を有している。電源回路ＩＣ５は、ＦＥＴとＦＥＴ制御回路を内蔵しており、入力電圧を所望の電圧に変換して出力するものである。電源回路ＩＣ５のドレイン端子は、トランジスタＱ１のコレクタ端子に接続され、トランジスタＱ１がオンすると、整流電圧Ｖ０が印加される。また、電源回路ＩＣ５のＶｏｕｔ端子とＧＮＤ間にインダクタＬ２３１と高速ダイオードＤ２３１が接続され、インダクタＬ２３１の後段に、電源回路ＩＣ５のソース端子が接続される。また、ソース−ＢＹ端子間にコンデンサＣ２３２、ソース−ＦＢ端子間にコンデンサＣ２３３が接続され、コンデンサＣ２３３と並列に抵抗Ｒ２３２が接続されている。また、Ｖｃｃ端子は、コンデンサＣ２３４を介してＧＮＤに接続されている。そして、インダクタＬ２３１とダイオードＤ２３１の直列回路と並列に、アルミ電解コンデンサＣ２３１が接続されている。上記の構成によって、電源回路ＩＣ５は、ドレイン端子に入力した整流電圧Ｖ０を所望の電圧に降圧してソース端子から出力し、アルミ電解コンデンサＣ２３１の両端に直流電圧ＶＤＣが生成される。そして、直流電圧ＶＤＣはＬＥＤ発光部４に印加される。
【０１３６】
ＬＥＤ発光部４は、アルミ電解コンデンサＣ２３１と並列に、発光ダイオードＬＥＤ４１〜ＬＥＤ４３と抵抗Ｒ４１の直列回路が接続され、発光ダイオードＬＥＤ４１〜ＬＥＤ４３と並列に、発光ダイオードＬＥＤ４４〜ＬＥＤ４６の直列回路が接続されている。そして、発光ダイオードＬＥＤ４１〜ＬＥＤ４６で、照明負荷であるＬＥＤ光源ＬＡ３を構成している。また、電源回路ＩＣ５のＶ０１端子は、ＬＥＤ光源ＬＡ３の後段に接続されている。
【０１３７】
次に、制御電源部１６について説明する。制御電源部１６は、直流電源部２３が出力する直流電圧ＶＤＣを基に、制御電圧Ｖｃｃ２を生成する。電源回路ＩＣ５のＶｏｕｔ端子がＮＰＮ型トランジスタＱ１６１のコレクタ端子に接続されており、トランジスタＱ１６１のベース−コレクタ端子間に抵抗Ｒ１６１が接続され、ベース端子はツェナーダイオードＺＤ１６３を介してＧＮＤに接続されている。そして、トランジスタＱ１６１のエミッタ端子は、点灯制御部１２を構成しているマイコンＩＣ１の電源入力端子に接続されている。つまり、トランジスタＱ１６１がオンすると、ツェナーダイオードＺＤ１６３のツェナー電圧と、トランジスタＱ１６１のベース−エミッタ間電圧とを加算した電圧値が制御電圧Ｖｃｃ２となって、マイコンＩＣ１に印加される。また、本実施形態の制御電源部１６は、チョッパ回路等を備えていないため、回路構成が容易となり、回路部品の部品点数の削減および、部品スペックの低減によるコストの低下と小型化が可能となる。
【０１３８】
マイコンＩＣ１を備えた点灯制御部１２については、実施形態２と略同様の回路構成であるので、同一箇所は説明を省略する。実施形態２の点灯制御部との差異は、本実施形態のマイコンＩＣ１は、点灯駆動信号出力端子には何も接続されておらず、負荷駆動信号Ｓ２を出力しない。そして、制御電源継続信号端子から出力される制御電源継続信号Ｓ３で、照明負荷であるＬＥＤ光源ＬＡ３をオン・オフ制御する点である。
【０１３９】
上記の構成によって、焦電型センサＰＩＲが人を検知してＨｉｇｈレベルの人検知信号Ｓ１を出力すると、トランジスタＱ２がオンすることによって、トランジスタＱ１がオンし、電源回路ＩＣ５に整流電圧Ｖ０が印加されて、直流電圧ＶＤＣが生成される。それによって、ＬＥＤ光源ＬＡ３が点灯すると共に、トランジスタＱ１６１がオンして、マイコンＩＣ１に制御電圧Ｖｃｃ２が印加される。また、焦電型センサＰＩＲが人を検知せずＬｏｗレベルの人検知信号Ｓ１を出力すると、トランジスタＱ２がオフすることで、トランジスタＱ１もオフするので、整流電圧Ｖ０の電源回路ＩＣ５への供給が遮断される。したがって、直流電圧ＶＤＣも生成されないので、ＬＥＤ光源ＬＡ３は消灯し、マイコンＩＣ１に制御電圧Ｖｃｃ２は印加されない。
【０１４０】
次に、本実施形態の照明装置５の動作を、図９（ａ）〜（ｅ）を用いて説明する。図９（ａ）はフォトＩＣダイオードＰＤが出力する照度電圧Ｖ１、（ｂ）は焦電型センサＰＩＲが出力する人検知信号Ｓ１のＨｉｇｈ・Ｌｏｗ、（ｃ）は電源回路ＩＣ５が出力する直流電圧ＶＤＣ、（ｄ）はマイコンＩＣ１の電源電圧Ｖｃｃ２、（ｅ）はＬＥＤ光源ＬＡ３の点灯・消灯を示したタイミングチャートである。
【０１４１】
図９のａ点、ｂ点において、周囲の照度が高く、照度電圧Ｖ１が人検知開始照度設定値であるツェナー電圧Ｖ２よりも高いので、トランジスタＱ１１１がオンし、トランジスタＱ１１２、Ｑ１１３がオフするので、焦電型センサＰＩＲにセンサ電源電圧Ｖｃｃ１が印加されない。そのため、焦電型センサＰＩＲの検知エリアに人が存在しても、人検知信号Ｓ１は出力されない（Ｌｏｗレベル）ので、トランジスタＱ１、Ｑ２がオフし、電源回路ＩＣ５に整流電圧Ｖ０が印加されないので、直流電圧ＶＤＣが生成されない。したがって、マイコンＩＣ１に制御電圧Ｖｃｃ２が印加されず、ＬＥＤ光源ＬＡ３も消灯している。
【０１４２】
次に図９のｃ点において、照度電圧Ｖ１が人検知開始照度設定値であるツェナー電圧Ｖ２よりも低いので、トランジスタＱ１１１がオフし、トランジスタＱ１１２、１１３がオンするので、焦電型センサＰＩＲにセンサ電源電圧Ｖｃｃ１が印加され、人検知機能が動作している。そして、実施形態１、２と同様に、焦電型センサＰＩＲの人検知信号Ｓ１のＨｉｇｈレベル時間Ｔ３がＴ３＞４０ｍｓｅｃ以上の場合、トランジスタＱ２がオンするので、トランジスタＱ１がオンし、整流電圧Ｖ０が電源回路ＩＣ５に印加される。そして、直流電圧ＶＤＣが生成されることで、ＬＥＤ光源ＬＡ３が点灯すると共に、トランジスタＱ１６１がオンして、制御電圧Ｖｃｃ２がマイコンＩＣ１に印加され、人感センサ信号入力端子がＨｉｇｈレベルの人検知信号Ｓ１を検出すると、Ｈｉｇｈレベルの制御電圧継続信号Ｓ３が出力される。
【０１４３】
また、実施形態１、２と同様に、人検知信号Ｓ１のＨｉｇｈレベル時間Ｔ３が経過後、人検知信号Ｓ１はＬｏｗレベルに反転しているが、マイコンＩＣ１が制御電源継続機能を有しているため、Ｈｉｇｈレベルの制御電源継続信号Ｓ３がダイオードＤ１２１と抵抗Ｒ１を介してトランジスタＱ２のベース端子に出力されているため、トランジスタＱ１、Ｑ２がオンし、直流電圧ＶＤＣの出力が継続され、マイコンＩＣ１への制御電圧Ｖｃｃ２の印加と、ＬＥＤ光源ＬＡ３の点灯が継続されている。そして、人検知信号Ｓ１がＬｏｗレベルに反転してから、制御電源継続時間Ｔ１より短い時間Ｔ４が経過後、再び人検知信号Ｓ１がＨｉｇｈレベルに反転することによって、制御電源継続時間Ｔ１の計時カウントがリセットされる。
【０１４４】
その後、再び人検知信号Ｓ１がＬｏｗレベルに反転し、制御電源継続時間Ｔ１の計時カウントが開始され、制御電源継続時間Ｔ１が経過後（図６のｄ点）、マイコンＩＣ１が消灯と判断し、マイコンＩＣ１がＬｏｗレベルの制御電源継続信号Ｓ３をトランジスタＱ２に出力し、トランジスタＱ１、Ｑ２がオフすることで、直流電圧ＶＤＣの出力が停止し、ＬＥＤ光源ＬＡ３が消灯する。また、マイコンＩＣ１への制御電圧Ｖｃｃ２は、マイコンＩＣ１−電源回路ＩＣ５間の抵抗・コンデンサの時定数によって、直流電圧ＶＤＣの出力の停止から遅れてゼロとなる。
【０１４５】
なお、本実施形態では、スイッチ回路部ＳＷのトランジスタＱ１を電源回路ＩＣ５のドレイン端子に接続して、整流電圧Ｖ０の入力をオン・オフしたが、Ｖｏｕｔ端子にトランジスタＱ１を接続して、直流電圧ＶＤＣの出力をオン・オフして、マイコンＩＣ１への制御電圧Ｖｃｃ２の印加と、ＬＥＤ光源ＬＡ３の点灯を制御してもよい。また、トランジスタＱ１をＢＹ端子に接続して、ＢＹ端子をＧＮＤと短絡・開放することで、電源回路ＩＣ５の動作をオン・オフして、マイコンＩＣ１への制御電圧Ｖｃｃ２の印加と、ＬＥＤ光源ＬＡ３の点灯を制御してもよい。
【０１４６】
上記の構成によって、ＬＥＤ光源ＬＡ３を点灯しない待機時において、トランジスタＱ１がオフすることによって、マイコンＩＣ１には制御電圧Ｖｃｃ２、電源回路ＩＣ５には整流電圧Ｖ０が印加されない。そして、周囲が暗く、焦電型センサＰＩＲの検知エリア内に人の存在を検知した場合にのみ、トランジスタＱ１がオンすることによって、マイコンＩＣ１に制御電圧Ｖｃｃ２、電源回路ＩＣ５に整流電圧Ｖ０が印加され、ＬＥＤ光源ＬＡ３が点灯する構成となっている。そのため、待機時は常時マイコンＩＣ１と電源回路ＩＣ５の消費電力をゼロとすることができる。また、周囲が明るい場合は、焦電型センサＰＩＲにもセンサ電源電圧Ｖｃｃ１が印加されない構成となっているため、待機時の消費電力をさらに低減することができる。したがって、実施形態１、２と同様に、スイッチ回路部ＳＷに太陽電池や蓄電池等を設けていないため、照明装置５の極端な大型化や、コストの増加を招くことなく、昼夜を問わず常に待機電力を低減させることができる。
【０１４７】
また、本実施形態の点灯制御装置１は、点灯回路装置２の入力保護部２１と整流平滑部２２を共用化しているため、照明装置５を構成する回路部品の部品点数の削減によるコストの低下と小型化が可能となる。
【０１４８】
さらに、本実施形態の制御電源部１６は、ＬＥＤ直流電源部２３が出力する直流電圧ＶＤＣを基に制御電圧Ｖｃｃ２を生成する構成となっているので、焦電型センサＰＩＲの人検知信号Ｓ１に基づいて、ＬＥＤ直流電源部２３の動作をオン・オフするのみで、ＬＥＤ光源ＬＡ３の点灯制御と、マイコンＩＣ１に印加される制御電圧Ｖｃｃ２のオン・オフすることができるので回路構成が容易となる。
【０１４９】
（実施形態４）
本発明の第４の実施形態として図１０に構成を示す。図１０は、実施形態１〜３のいずれかの点灯装置３を備えた照明器具６の外観を示す斜視図である。
【０１５０】
本実施形態の照明器具６は、建物の外壁に取着されるベース部６２と、ベース部６２にアーム６３を介して、首振自在に取着される灯具６４とを備えている。灯具６４は、照明負荷ＬＡが内部に配置される筒状のセード６５を備え、灯具６４を所望の方向に向けることによって、照明負荷ＬＡの光をスポット光として照射することができる。
【０１５１】
また、上述の実施形態１〜３で示した点灯装置３は、電子回路基板（図示なし）上に形成され、例えば成型樹脂からなる外郭材に収納され、ベース部６２内に配置されている。また、ベース部６２の前面に設けられた操作カバー６１を開け、ベース部６２の内部に設けられたロータリーボリュームＶＲ１を回転操作することによって、ユーザーが点灯保持時間Ｔ２を所望の時間に設定することが可能となっている。また、人体センサ部１１１・照度センサ部１１２を備えたセンサ部１１を第２の電子回路基板（図示なし）上に形成し、光透過性の高い、たとえばポリエチレン樹脂からなる略半球状の外郭材と、成型樹脂からなる略半球状の外郭材との間に防水パッキンを介して収納することで防湿構造を有し、ベース部６２の下面に露設するように設けられている。
【０１５２】
上記のように構成することによって、照明負荷ＬＡを点灯しない待機時において、センサ部１１にのみ電力が供給される構成となるため消費電力を低減することができる。
【０１５３】
なお、照明負荷ＬＡは、実施形態１〜３で述べたように、白熱灯、電球型の蛍光灯など放電現象に起因して発光するランプ、発光ダイオード、あるいはその他の光源を用いてもよい。
【符号の説明】
【０１５４】
１      点灯制御装置
３      点灯装置
５      照明装置
１１    センサ部
１２    点灯制御部
１３    負荷駆動部
１４    入力保護部
１５    整流平滑部
１６    制御電源部
１７    センサ電源部
ＳＷ    スイッチ回路部
ＬＡ１  白熱灯
ＡＣ    商用電源
【図１】
2011029094.tif 000003
【図２】
2011029094.tif 000004
【図３】
2011029094.tif 000005
【図４】
2011029094.tif 000006
【図５】
2011029094.tif 000007
【図６】
2011029094.tif 000008
【図７】
2011029094.tif 000009
【図８】
2011029094.tif 000010
【図９】
2011029094.tif 000011
【図１０】
2011029094.tif 000012
【図１１】
2011029094.tif 000013
【図１２】
2011029094.tif 000014